(57)【要約】【課題】  交換レンズにより、カメラボディに対する正確なフランジバック長の設定及び距離指標の正確な設定を可能にするとともに、容易かつ低コストで実現する。【解決手段】  フォーカス調整機構部３の調整範囲Ｚｓを、基準となる無限遠位置Ｘｐから、最近接側に対する反対方向Ｆｎに、所定の範囲Ｚｅだけ拡大させて構成するとともに、フォーカスリング４を、フォーカスリング本体部４ｍ，このフォーカスリング本体部４ｍに対して別体に形成した距離指標表示部４ｄ，及びこの距離指標表示部４ｄをフォーカスリング本体部４ｍに対して周方向Ｆｆへ相対変位可能又は固定可能にする指標位置調整機構部４ｓにより構成する。【選択図】  図１
2017120317.tif 000002
【特許請求の範囲】
【請求項１】
少なくとも、カメラボディのレンズマウント部に着脱可能なマウント装着部と、周方向に回動変位することによりフォーカス調整を行うとともに、距離指標を表示したフォーカスリングを有するフォーカス調整機構部と、を備えてなる交換レンズであって、前記フォーカス調整機構部の調整範囲を、基準となる無限遠位置から、最近接側に対する反対方向に、所定の範囲だけ拡大させて構成するとともに、前記フォーカスリングを、フォーカスリング本体部，このフォーカスリング本体部に対して別体に形成した距離指標表示部，及びこの距離指標表示部を前記フォーカスリング本体部に対して周方向へ相対変位可能又は固定可能にする指標位置調整機構部により構成してなることを特徴とする交換レンズ。
【請求項２】
前記距離指標表示部は、距離指標表示リングにより構成することを特徴とする請求項１記載の交換レンズ。
【請求項３】
前記指標位置調整機構部は、前記距離指標表示リングを、セット位置又はこのセット位置から光軸方向に所定幅だけ離間するリリース位置に変位させる変位案内機構部と、前記セット位置で前記距離指標表示リング側に形成したラックギア部と前記フォーカスリング本体部に形成したラックギア部が噛合し、かつ前記リリース位置で当該ラックギア部の噛合が解除される噛合機構部と、前記距離指標表示リングを前記セット位置側に付勢する付勢機構部と、を備えてなることを特徴とする請求項２記載の交換レンズ。
【請求項４】
前記カメラボディは、被写体を撮像する撮像素子により構成した受光パネル部を備えることを特徴とする請求項１記載の交換レンズ。
【請求項５】
広角レンズに適用することを特徴とする請求項１記載の交換レンズ。
【発明の詳細な説明】
【技術分野】
【０００１】
本発明は、少なくとも、カメラボディのレンズマウント部に着脱可能なマウント装着部及びフォーカス調整機構部を備える交換レンズに関する。
【背景技術】
【０００２】
カメラの分野では、カメラボディと交換レンズをそれぞれ独立した商品として販売するため、ユーザーは、所有するカメラボディに、所望の交換レンズを組合わせて使用することができる。このため、カメラボディには、様々な交換レンズに対応できるフランジバック長さを設定するためのフランジバック調整機構を内蔵する場合も少なくない。
【０００３】
従来、このようなフランジバック調整機構を内蔵したカメラボディ（カメラ）としては、特許文献１に開示される一眼レフカメラ、特許文献２に開示されるカメラ、特許文献３に開示されるカメラボディが知られている。
【０００４】
特許文献１に開示される一眼レフカメラは、バックフォーカス制御方式の一眼レフカメラのフランジバック機構において、レンズの基準フランジバック位置よりさらに短縮移動可能な構造とし、本体後部ブロックにある焦点面が、装着するレンズの超無限位置になるように可動範囲を拡大することを目的としたものであり、具体的には、レンズマウントの面とフィルムのアパーチャまでの距離がＡＦ駆動機構により合焦位置になるように制御され、ＭＦに切り換えた場合、位置検出スイッチにより後部ブロックの位置を得ることにより基準位置のフランジバックの寸法に設定され、交換レンズの距離環を無限近辺に置くだけで至近から無限遠までＡＦの応答が可能になるようにしたものである。
【０００５】
また、特許文献２に開示されるカメラは、フランジバック寸法の短かい距離計連動カメラ用の交換レンズを装着した際に、リアコンバージョンレンズを使用せずに無限遠からの撮影を可能とし、ＡＦ撮影をも可能とするレンズ交換可能なデジタル一眼レフカメラを得ることを目的としたものであり、具体的には、撮影レンズを通過した光束を光電変換する撮像素子と、撮像素子を撮影レンズの光軸方向に移動させる撮像素子移動機構と、撮影レンズと撮像素子の間に配置され撮影レンズを通過した光束をファインダ部へ導く第１の位置と撮影光束外へ退避した第２の位置に移動可能な反射部材と、を有し、反射部材を第２の位置へ退避させた状態で、撮像素子移動機構により撮像素子を撮影レンズの光軸方向へ移動させることができるようにしたものである。
【０００６】
さらに、特許文献３に開示されるカメラボディは、マウント形態やフランジバックの異なる交換レンズとカメラボディとを変換アダプタを用いて装着した場合に、好適に撮影を行えるようにすることを目的としたものであり、具体的には、光学機器に取り付け可能なマウント部と、光学機器の光学系が無限遠の被写体に合焦したときの合焦位置に関する信号が入力される入力部と、光学系による像を撮像する撮像素子とを備え、撮像素子は、入力部に入力された信号に応じて光学系の光軸方向に移動可能に構成したものである。
【先行技術文献】
【特許文献】
【０００７】
【特許文献１】特開平７−５６２２１号公報
【特許文献２】特開２００５−１７６９９号公報
【特許文献３】特開２００８−１１８１９９号公報
【発明の概要】
【発明が解決しようとする課題】
【０００８】
しかし、上述した従来におけるフランジバック調整機構を内蔵したカメラボディ（カメラ）は、次のような問題点があった。
【０００９】
即ち、フランジバック長さは、交換レンズに対して正確にマッチングさせる必要があるため、フランジバック調整機構を内蔵する場合、部品面や構成面での高い精度や信頼性が要求され、調整機構の煩雑化，大型化，コストアップを強いられる問題がある。したがって、小型化及び低コスト化が要求されるカメラボディには、必ずしも採用できる機構ではない。
【００１０】
一方、フランジバック長の他の調整手法としては、カメラボディのフランジバック長を一定にし、交換レンズの種別に対応して、異なるフランジバック長に切換えることも行われており、通常、カメラボディと交換レンズ間にマウントアダプタを介在させる手法が用いられる。この場合には、カメラボディ内部におけるフランジバック調整機構は不要となるため、フランジバック調整機構の内蔵による前述した問題は生じない。また、カメラボディにおけるフランジバック長が正確に設定されていれば、交換レンズ側では設計によりフランジバックのマッチングを容易かつ正確に行うことができる。
【００１１】
ところで、カメラボディのフランジバック長は、近時、フィルムを前提とした機械的な受光面から、撮像素子により構成した電気的な受光パネルによる受光面に置き代わっている。即ち、機械的構造から電気部品の実装に代わっており、カメラボディ単位でフランジバック長のバラツキ（公差）が生じやすくなっている。
【００１２】
このバラツキは、焦点距離の長いズームレンズ等ではさほど問題にならない無視できるレベルとなるが、焦点距離の短い広角レンズの場合には無視できない問題となる。即ち、フォーカスリングの僅かな回し操作により距離指標が変位し、無限遠側における距離指標の誤差が大きくなるなど、距離指標としての正確性、更には信頼性を維持できなくなる問題を生じる。
【００１３】
本発明は、このような背景技術に存在する課題を解決した交換レンズの提供を目的とするものである。
【課題を解決するための手段】
【００１４】
本発明に係る交換レンズ１は、上述した課題を解決するため、少なくとも、カメラボディ１００のレンズマウント部１０１に着脱可能なマウント装着部２と、周方向Ｆｆに回動変位することによりフォーカス調整を行うとともに、距離指標Ｍｉを表示したフォーカスリング４を有するフォーカス調整機構部３と、を備えてなる交換レンズであって、フォーカス調整機構部３の調整範囲Ｚｓを、基準となる無限遠位置Ｘｐから、最近接側に対する反対方向Ｆｎに、所定の範囲Ｚｅだけ拡大させて構成するとともに、フォーカスリング４を、フォーカスリング本体部４ｍ，このフォーカスリング本体部４ｍに対して別体に形成した距離指標表示部４ｄ，及びこの距離指標表示部４ｄをフォーカスリング本体部４ｍに対して周方向Ｆｆへ相対変位可能又は固定可能にする指標位置調整機構部４ｓにより構成してなることを特徴とする。
【００１５】
この場合、発明の好適な態様により、距離指標表示部４ｄは、距離指標表示リング４ｄｒにより構成できる。また、指標位置調整機構部４ｓは、距離指標表示リング４ｄｒを、セット位置Ｘｓ又はこのセット位置Ｘｓから光軸方向Ｆｃに所定幅Ｌｗだけ離間するリリース位置Ｘｒに変位させる変位案内機構部１１と、セット位置Ｘｓで距離指標表示リング４ｄｒ側に形成したラックギア部Ｇｒ…とフォーカスリング本体部４ｍに形成したラックギア部Ｇｍ…が噛合し、かつリリース位置Ｘｒで当該ラックギア部Ｇｒ…とラックギア部Ｇｍ…の噛合が解除される噛合機構部１２と、距離指標表示リング４ｄｒをセット位置Ｘｓ側に付勢する付勢機構部１３と、を備えて構成できる。なお、カメラボディ１００には、被写体を撮像する撮像素子１０５ｓ…により構成した受光パネル部１０５を備えたカメラボディを適用することが望ましいとともに、交換レンズ１には、広角レンズを適用することが望ましい。
【発明の効果】
【００１６】
このような構成を有する本発明に係る交換レンズ１によれば、次のような顕著な効果を奏する。
【００１７】
（１）  フランジバック調整機構を内蔵しないカメラボディ１００であって、かつカメラボディ１００単位でフランジバック長にバラツキ（公差）が生じている場合であっても、交換レンズ１側で当該バラツキによる誤差を吸収できる。即ち、カメラボディ１００に本発明に係る交換レンズ１を装着した際には、カメラボディ１００に対する正確なフランジバック長を設定できるとともに、交換レンズ１における距離指標Ｍｉも正確な位置に設定できるなど、カメラボディ１００に対して交換レンズ１を最適な状態にマッチングさせることができる。しかも、フォーカス調整機構部３の改善により、容易かつ低コストに実現できる。
【００１８】
（２）  好適な態様により、距離指標表示部４ｄを距離指標表示リング４ｄｒにより構成すれば、フォーカスリング本体部４ｍに対して形状的に一体感を醸し出すことができるため、フォーカスリング４としての外観性（デザイン性）及び操作性を損なうことなく、一般的なフォーカスリングと同様に違和感なく使用できる。
【００１９】
（３）  好適な態様により、指標位置調整機構部４ｓを構成するに際し、距離指標表示リング４ｄｒを、セット位置Ｘｓ又はこのセット位置Ｘｓから光軸方向Ｆｃに所定幅Ｌｗだけ離間するリリース位置Ｘｒに変位させる変位案内機構部１１と、セット位置Ｘｓで距離指標表示リング４ｄｒ側に形成したラックギア部Ｇｒ…とフォーカスリング本体部４ｍに形成したラックギア部Ｇｍ…が噛合し、かつリリース位置Ｘｒで当該ラックギア部Ｇｒ…とＧｍ…の噛合が解除される噛合機構部１２と、距離指標表示リング４ｄｒをセット位置Ｘｓ側に付勢する付勢機構部１３と、を備えて構成すれば、固定ネジ等の別途の固定手段を不要にできるため、外観性及び操作性の確保を確実に担保できるとともに、調整（調整操作）も容易に行うことができる。
【００２０】
（４）  好適な態様により、カメラボディ１００に、被写体を撮像する撮像素子１０５ｓ…により構成した受光パネル部１０５を備えたカメラボディを適用すれば、電子部品として構成される受光パネル部１０５を実装する際に発生しやすい寸法上のバラツキ（公差）に対して有効に機能させることができる。即ち、このバラツキにより直接影響を受け、フランジバック長にバラツキを生じる問題を効果的に解消できる。
【００２１】
（５）  好適な態様により、交換レンズ１として、広角レンズを適用すれば、特に焦点距離が短く、距離指標Ｍｉが顕著な誤差として発生しやすい広角レンズにおける無視できない問題を有効に解決できる。
【図面の簡単な説明】
【００２２】
【図１】本発明の好適実施形態に係る交換レンズの一部抽出拡大図を含む要部構成を示す側面断面図、
【図２】同交換レンズのＣ−Ｃ線拡大図を含む図１中Ａ−Ａ線断面図、
【図３】同交換レンズの一部抽出拡大図を含む図１中Ｂ−Ｂ線断面図、
【図４】同交換レンズの背面方向から見た外観斜視図、
【図５】同交換レンズの原理説明図、
【図６】同交換レンズの機能説明図、
【図７】同交換レンズの操作時における作用説明図、
【図８】同交換レンズの機能（使用方法）を説明するための使用説明図、
【発明を実施するための形態】
【００２３】
次に、本発明に係る好適実施形態を挙げ、図面に基づき詳細に説明する。
【００２４】
まず、本発明の理解を容易にするため、本実施形態に係る交換レンズ１を装着（着脱）するカメラボディ１００の概要について、図５を参照して説明する。
【００２５】
本実施形態に係る交換レンズ１は、図５に示すカメラボディ１００のレンズマウント部１０１に装着して使用する。例示のカメラボディ１００は、デジタルカメラであり、内部には、被写体を撮像する撮像素子１０５ｓ…により構成する受光パネル部１０５を配設する。したがって、フランジバック長Ｌｆは、レンズマウント部１０１の取付面から受光パネル部１０５の受光面までの距離となる。
【００２６】
ところで、カメラボディ１００は、このような構成を備えるため、カメラボディ１００単位では、受光パネル部１０５の実装位置に部品上及び組付上のバラツキが存在し、フランジバック長Ｌｆに公差を生じている場合がある。
【００２７】
本実施形態に係る交換レンズ１は、フランジバック調整機構を内蔵せず、かつカメラボディ１００単位でフランジバック長Ｌｆにバラツキ（公差）が生じている場合であっても、当該交換レンズ１側で当該バラツキによる誤差を吸収できる構造を付加したものである。即ち、カメラボディ１００に交換レンズ１を装着した際には、カメラボディ１００に対する正確なフランジバック長を設定できるとともに、交換レンズ１における距離指標Ｍｉも正確な位置に設定できるなど、カメラボディ１００に対して交換レンズ１を最適な状態にマッチングさせることができるものであり、特に、フォーカス調整機構部３の改善により、容易かつ低コストに実現可能にした。
【００２８】
このように、カメラボディ１００に、被写体を撮像する撮像素子１０５ｓ…により構成した受光パネル部１０５を備えたカメラボディを適用すれば、電子部品として構成される受光パネル部１０５を実装する際に発生しやすい寸法上のバラツキ（公差）に対して有効に機能させることができる。即ち、このバラツキにより直接影響を受け、フランジバック長にバラツキを生じる問題を効果的に解消できる利点がある。なお、図５中の符号において、ＣＲは入光線、Ｆｃは光軸方向、２は交換レンズ１のマウント装着部、５１はレンズ鏡筒、Ｌ１…Ｌ３…Ｌ６はレンズを示している。
【００２９】
次に、本実施形態に係る交換レンズ１の構成、特に、要部の構成について、図１〜図７を参照して説明する。
【００３０】
例示の交換レンズ１は、焦点距離（フランジバック）が比較的短い広角レンズである。このように、交換レンズ１として、広角レンズを適用すれば、特に焦点距離が短く、距離指標Ｍｉが顕著な誤差として発生しやすい広角レンズにおける無視できない問題を有効に解決できる利点がある。
【００３１】
交換レンズ１は、図１に示すように、固定筒５２を含むレンズ鏡筒５１を備え、このレンズ鏡筒５１の後端部には、図５に示したカメラボディ１００のレンズマウント部１０１に着脱可能なマウント装着部２を備える。また、レンズ鏡筒５１の内部には、複数のレンズＬ１，Ｌ２，Ｌ３，Ｌ４，Ｌ５，Ｌ６を配し、各レンズＬ１…Ｌ６は、それぞれ光軸方向Ｆｃの前後に変位可能なレンズ保持枠５５，５６，５７…により保持されている。なお、５３はレンズ鏡筒５１の前端部に備えるフードを示す。
【００３２】
一方、レンズ鏡筒５１には、本発明の要部を構成するフォーカス調整機構部３を配設する。このフォーカス調整機構部３は、レンズ鏡筒５１の周方向に回動変位することによりフォーカス調整を行い、かつ距離指標Ｍｉ（図４）を表示してなるフォーカスリング４を備える。
【００３３】
ところで、一般的な公知のフォーカス調整機構部は、単一（一体）のリング部材として構成したフォーカスリングを備え、このリング部材の外面に距離指針を表示している。また、フォーカスリングには、図６に示すような調整範囲Ｚｓｒが設定され、フォーカスリングを回動変位させることにより、被写界深度目盛部４１の中央に表示した距離指針マークＸｏを基点（基準）として、最近接位置Ｘａから無限遠位置（Ｘｐｒ）までのピント調整を行うことができる。
【００３４】
本実施形態に係るフォーカス調整機構部３は、このような一般的な公知のフォーカス調整機構部の構成に加えて、図６に示すように、調整範囲Ｚｓを、基点となる距離指針マークＸｏから、最近接位置Ｘａ側に対する反対方向Ｆｎに、所定の範囲Ｚｅだけ拡大させて構成した。また、本実施形態に係るフォーカスリング４は、フォーカスリング本体部４ｍと距離指標表示部４ｄの二部品を組合わせるとともに、フォーカスリング本体部４ｍと距離指標表示部４ｄ間に、指標位置調整機構部４ｓを介在させて構成した。
【００３５】
この場合、フォーカスリング本体部４ｍは一般的なフォーカスリングの機能と同じ機能を備えている。即ち、図１に示すように、フォーカスリング本体部４ｍは、固定筒５２の外周面上に配され、回動変位させることができる。そして、この回動変位は、ヘリコイド結合部により直進変位に変換されるとともに、さらに、変換比が設定されたレンズ保持枠５５，５６，５７…に伝達され、ピント調整を行うことができる。
【００３６】
また、距離指標表示部４ｄは、距離指標表示リング４ｄｒにより形成し、この距離指標表示リング４ｄｒは、フォーカスリング本体部４ｍの後部外周面上に摺動可能に装着する。したがって、距離指標表示リング４ｄｒは、フォーカスリング本体部４ｍの後部外周面上において周方向Ｆｆ及び光軸方向Ｆｃへの変位が許容される。そして、この距離指標表示リング４ｄｒの外周面には、一般のフォーカスリングに通常表示する距離指標と同様の距離指標Ｍｉを表示する。このように、距離指標表示部４ｄを距離指標表示リング４ｄｒにより構成すれば、フォーカスリング本体部４ｍに対して形状的に一体感を醸し出すことができるため、フォーカスリング４としての外観性（デザイン性）及び操作性を損なうことなく、一般的なフォーカスリングと同様に違和感なく使用できる利点がある。
【００３７】
一方、指標位置調整機構部４ｓは、変位案内機構部１１，噛合機構部１２及び付勢機構部１３により構成する。この場合、変位案内機構部１１は、図２に示すように、フォーカスリング本体部４ｍの内周面に摺動自在に装着したインナリング２０と、フォーカスリング本体部４ｍの周方向に沿った全周の三等分位置にそれぞれ形成した長方形状をなす三つの案内孔部４ｍｇ…と、この案内孔部４ｍｇ…にそれぞれ収容することによりインナリング２０と距離指標表示リング４ｄｒ間に介在させる三つのカラー２１…と、距離指標表示リング４ｄｒ，カラー２１…及びインナリング２０間を結合する三つの固定ネジ２２…とを備え、各固定ネジ２２…はカラー２１…の内部をそれぞれ挿通させる。
【００３８】
これにより、距離指標表示リング４ｄｒ，カラー２１…及びインナリング２０は一体に変位させることができるとともに、変位が許容される範囲は、図２に示すように、光軸方向Ｆｃにおいて、カラー２１…の変位が案内孔部４ｍｇ…の幅Ｌｃ…に規制される範囲となり、周方向Ｆｆにおいて、カラー２１…の変位が案内孔部４ｍｇ…の幅Ｌｆ…に規制される範囲となる。この場合、カラー２１…が、案内孔部４ｍｇ…内における、光軸方向Ｆｃの前端位置にあるときはセット位置Ｘｓとなり、光軸方向Ｆｃの後端位置にあるときはリリース位置Ｘｒとなる。図２及び図７（ａ）は、カラー２１…（距離指標表示リング４ｄｒ）がセット位置Ｘｓにある状態を示すとともに、図７（ｂ）は、カラー２１…（距離指標表示リング４ｄｒ）がリリース位置Ｘｒにある状態を示す。また、カラー２１…は、幅Ｌｆの範囲の中央位置（図２の位置）にあるときに、交換レンズ１の正規の基準位置となるように選定する。
【００３９】
また、噛合機構部１２は、図３に示すように、距離指標表示リング４ｄｒ側に形成したラックギア部Ｇｒ…とフォーカスリング本体部４ｍに形成したラックギア部Ｇｍ…により構成するとともに、ラックギア部Ｇｒ…とラックギア部Ｇｍ…はそれぞれ相対向させる。この場合、ラックギア部Ｇｒ…は、インナリング２０の前端側における周方向に沿った全周の二等分位置となる二個所にそれぞれ所定の範囲にわたって形成するとともに、ラックギア部Ｇｍ…は、フォーカスリング本体部４ｍの内周面の周方向に沿った全周の二等分位置となる二個所にそれぞれ所定の範囲にわたって形成する。そして、ラックギア部Ｇｒ…とラックギア部Ｇｍ…は、上述したセット位置Ｘｓにおいて噛合し、かつリリース位置Ｘｒにおいて噛合が解除されるように位置選定する。
【００４０】
さらに、付勢機構部１３は、距離指標表示リング４ｄｒをセット位置Ｘｓ側に付勢する機能を備えており、例示は、渦巻バネ１３ｓにより構成した。この渦巻バネ１３ｓは、インナリング２０の後端面に沿って渦巻状に形成したものであり、図１に示すように、インナリング２０の後端面とフォーカスリング本体部４ｍの段差面間に圧縮した状態で介在させる。
【００４１】
このように、指標位置調整機構部４ｓを構成するに際し、距離指標表示リング４ｄｒを、セット位置Ｘｓ又はこのセット位置Ｘｓから光軸方向Ｆｃに所定幅Ｌｗだけ離間するリリース位置Ｘｒに変位させる変位案内機構部１１と、セット位置Ｘｓで距離指標表示リング４ｄｒ側に形成したラックギア部Ｇｒ…とフォーカスリング本体部４ｍに形成したラックギア部Ｇｍ…が噛合し、かつリリース位置Ｘｒで当該ラックギア部Ｇｒ…とＧｍ…の噛合が解除される噛合機構部１２と、距離指標表示リング４ｄｒをセット位置Ｘｓ側に付勢する付勢機構部１３と、を備えて構成すれば、固定ネジ等の別途の固定手段を不要にできるため、外観性及び操作性の確保を確実に担保できるとともに、調整（調整操作）も容易に行える利点がある。
【００４２】
次に、本実施形態に係る交換レンズ１の使用方法について、図７及び図８を参照して説明する。
【００４３】
この交換レンズ１は、図５に示したように、後端に備えるマウント装着部２を、用意したカメラボディ１００のレンズマウント部１０１に装着して使用する。したがって、交換レンズ１は、カメラボディ１００のフランジバック長Ｌｆに適合するレンズ特性を有している。
【００４４】
ところで、この場合、前述したように、受光パネル部１０５の実装位置には、部品上及び組付上のバラツキが存在し、フランジバック長Ｌｆに公差を生じている場合も少なくない。本実施形態に係る交換レンズ１は、このようなバラツキ（公差）を吸収し、カメラボディ１００に対する正確なフランジバック長Ｌｆを設定できるとともに、交換レンズ１における距離指標Ｍｉも正確な位置に設定できる。
【００４５】
以下、設定手順について、図８（及び図７）を参照して説明する。まず、フォーカスリング４を周方向Ｆｆへ回動変位させることにより、無限遠位置にピントが合うように調整する。この結果、フォーカスリング４の距離指標Ｍｉにおける無限遠位置Ｘｐは、図８（ａ）の位置でピントが合った場合を想定する。
【００４６】
この場合、距離指標Ｍｉの無限遠位置Ｘｐは、基点（基準）となる距離指針マークＸｏに一致せず、この距離指針マークＸｏを越えた位置でピントが合っている。即ち、図８（ａ）の場合、無限遠位置であるにも拘わらず、無限遠位置Ｘｐは、距離指針マークＸｏに一致せず、１．５〔ｍ〕付近にピントが合った状態を示している。この状態を図７（ａ）に示す。この状態における距離指標表示リング４ｄｒは、セット位置Ｘｓに位置している。即ち、距離指標表示リング４ｄｒは、渦巻バネ１３ｓにより光軸方向Ｆｃの前方に付勢され、セット位置Ｘｓに保持されるとともに、ラックギア部Ｇｒ…とラックギア部Ｇｍ…は噛合した状態となる。したがって、距離指標表示リング４ｄｒとフォーカスリング本体４ｍはいわば一体化された状態にある。
【００４７】
次に、図８（ａ）における距離指標表示リング４ｄｒを手で持ち、光軸方向Ｆｃ後方、即ち、図中、矢印Ｆｃｃ方向へ幅Ｌｗだけ変位させる。この状態を図８（ｂ）に示す。図８（ｂ）は、距離指標表示リング４ｄｒは、リリース位置Ｘｒに変位した状態となり、この状態を図７（ｂ）に示す。この状態では、ラックギア部Ｇｒ…がラックギア部Ｇｍ…から外れ、両者の噛合が解除された状態となる。この結果、距離指標表示リング４ｄｒは、フォーカスリング本体４ｍに対して、いわば解放された状態となるため、距離指標表示リング４ｄｒをフォーカスリング本体４ｍに対して周方向へ回動変位させることができる。この際、距離指標表示リング４ｄｒを、図８（ｂ）の状態から、矢印Ｆｆｐ方向に幅Ｌｍだけ回動変位させ、距離指標表示リング４ｄｒにおける無限遠位置Ｘｐを、距離指針マークＸｏに一致させる。この状態を図８（ｃ）に示す。
【００４８】
次いで、図８（ｃ）の状態において、距離指標表示リング４ｄｒから手を離せば、距離指標表示リング４ｄｒは、渦巻バネ１３ｓにより光軸方向Ｆｃの前方に付勢されているため、図７（ａ）に示すセット位置Ｘｓに復帰し、ラックギア部Ｇｒ…とラックギア部Ｇｍ…は噛合した状態となる。即ち、距離指標表示リング４ｄｒとフォーカスリング本体４ｍは、いわば一体化した状態に復帰する。この状態を図８（ｄ）に示す。
【００４９】
このように、本実施形態に係る交換レンズ１によれば、基本的形態として、フォーカス調整機構部３の調整範囲Ｚｓを、基準となる無限遠位置Ｘｐから、最近接側に対する反対方向Ｆｎに、所定の範囲Ｚｅだけ拡大させて構成するとともに、フォーカスリング４を、フォーカスリング本体部４ｍ，このフォーカスリング本体部４ｍに対して別体に形成した距離指標表示部４ｄ，及びこの距離指標表示部４ｄをフォーカスリング本体部４ｍに対して周方向Ｆｆへ相対変位可能又は固定可能にする指標位置調整機構部４ｓにより構成してなるため、フランジバック調整機構を内蔵しないカメラボディ１００であって、かつカメラボディ１００単位でフランジバック長にバラツキ（公差）が生じている場合であっても、交換レンズ１側で当該バラツキによる誤差を吸収できる。即ち、カメラボディ１００に本発明に係る交換レンズ１を装着した際には、カメラボディ１００に対する正確なフランジバック長を設定できるとともに、交換レンズ１における距離指標Ｍｉも正確な位置に設定できるなど、カメラボディ１００に対して交換レンズ１を最適な状態にマッチングさせることができる。しかも、フォーカス調整機構部３の改善により、容易かつ低コストに実現できる。
【００５０】
以上、好適実施形態について詳細に説明したが、本発明は、このような実施形態に限定されるものではなく、細部の構成，形状，素材，数量，手法等において、本発明の要旨を逸脱しない範囲で、任意に変更，追加，削除することができる。
【００５１】
例えば、フォーカス調整機構３は、マニュアル操作方式，オートフォーカス方式，これら両方式を切換える方式のいずれの方式であってもよい。また、距離指標表示部４ｄは、距離指標表示リング４ｄｒにより構成した場合を例示したが、その他、フォーカスリング本体部４ｍの外面上の周方向に、距離指標表示プレート等をスライド変位可能に取付ける構成等、同様の機能及び効果を享受できる他の構成であってもよい。さらに、指標位置調整機構部４ｓを構成するに際し、実施形態では、距離指標表示リング４ｄｒを、セット位置Ｘｓ又はこのセット位置Ｘｓから光軸方向Ｆｃに所定幅Ｌｗだけ離間するリリース位置Ｘｒに変位させる変位案内機構部１１と、セット位置Ｘｓで距離指標表示リング４ｄｒ側に形成したラックギア部Ｇｒ…とフォーカスリング本体部４ｍに形成したラックギア部Ｇｍ…が噛合し、かつリリース位置Ｘｒで当該ラックギア部Ｇｒ…とＧｍ…の噛合が解除される噛合機構部１２と、距離指標表示リング４ｄｒをセット位置Ｘｓ側に付勢する付勢機構部１３と、を備えて構成した場合を例示したが、その他、距離指標表示リング４ｄｒを周方向へ回動変位させ、任意の位置において、固定ネジ等の固定手段により固定する構成を排除するものではない。なお、交換レンズ１を装着するカメラボディ１００としては、例示したデジタルカメラをはじめ、フィルムタイプカメラやビデオカメラ等の各種カメラボディに適用できる。なお、デジタルカメラは、一眼レフタイプであってもよいし、ファインダータイプであってもよい。
【産業上の利用可能性】
【００５２】
本発明に係る交換レンズ１は、種別として、広角レンズがより望ましい効果を得ることができるが、標準レンズ，望遠レンズ，マクロレンズ等の各種交換レンズに利用（適用）でき、特に、標準レンズ等であっても、極低温や極高温下で撮影を継続し、バックフォーカスがずれた際の調整に利用可能である。
【符号の説明】
【００５３】
１：交換レンズ，２：マウント装着部，３：フォーカス調整機構部，４：フォーカスリング，４ｍ：フォーカスリング本体部，４ｄ：距離指標表示部，４ｄｒ：距離指標表示リング，４ｓ：指標位置調整機構部，１１：変位案内機構部，１２：噛合機構部，１３：付勢機構部，１００：カメラボディ，１０１：レンズマウント部，１０５：受光パネル部，１０５ｓ…：撮像素子，Ｆｆ：周方向，Ｆｃ：光軸方向，Ｆｎ：最近接側に対する反対方向，Ｍｉ：距離指標，Ｚｓ：フォーカス調整機構部の調整範囲，Ｚｅ：所定の範囲，Ｘｐ：無限遠位置，Ｘｓ：セット位置，Ｘｒ：リリース位置，Ｌｗ：所定幅，Ｇｒ…：ラックギア部，Ｇｍ…：ラックギア部
【図１】
2017120317.tif 000003
【図２】
2017120317.tif 000004
【図３】
2017120317.tif 000005
【図４】
2017120317.tif 000006
【図５】
2017120317.tif 000007
【図６】
2017120317.tif 000008
【図７】
2017120317.tif 000009
【図８】
2017120317.tif 000010